(57)【要約】【課題】  バッテリー本体の状態を外部から確認可能な、透明の携帯用バッテリーを提供する。【解決手段】    バッテリー本体１０と、バッテリー本体１０を外部から観察可能な透明バッテリーケース２０と、外部電源からバッテリー本体１０への充電、及びバッテリー本体１０からこれに接続された携帯情報機器等への電源供給を行うインターフェース部３０とを備え、バッテリー本体１０の状態を外部から確認可能にするとともに、装飾性を備え、持ち運びが可能な携帯用バッテリーを構成する。【選択図】  図３
0003207319.tif 000002
【実用新案登録請求の範囲】
【請求項１】
バッテリー本体と、
バッテリー本体を外部から観察可能な透明バッテリーケースと、
外部電源からバッテリー本体への充電、及びバッテリー本体からこれに接続された携帯情報機器等への電源供給を行うインターフェース部とを備え、
バッテリー本体の状態を外部から確認可能なことを特徴とする携帯用バッテリー。
【請求項２】
透明バッテリーケースは、バッテリー本体の状態を外部から確認可能な透過部と、光の屈折・反射等による装飾効果を有する装飾部とを備えたことを特徴とする、請求項1に記載の携帯用バッテリー。
【請求項３】
透明バッテリーケースは、熱可塑性樹脂からなることを特徴とする、請求項１または２のいずれかに記載の携帯用バッテリー。
【請求項４】
インターフェース部は、電源ケーブルを装着するインターフェースと、不使用時には前記インターフェースを覆い保護するキャップとを備えたことを特徴とする、請求項１〜３のいずれかに記載の携帯用バッテリー。
【請求項５】
前記インターフェース部は瓶の蓋を模し、前記透明バッテリーケースは瓶本体を模して形成されたことを特徴とする、請求項１〜４のいずれかに記載の携帯用バッテリー。
【考案の詳細な説明】
【技術分野】
【０００１】
本考案は、バッテリー本体の状態を外部から確認可能な、透明の携帯用バッテリーに関するものである。
【背景技術】
【０００２】
【特許文献１】特開２０００−１８２５７１
【０００３】
従来、コンセントがない屋外などの場所で各種のモバイル機器など充電ができ、持ち運びができるバッテリーが開発されている。繰り返し充電して使える充電式リチウムイオンバッテリーなどを内蔵したタイプと、乾電池を入れ替えて使用する乾電池ケースタイプなどが知られている。
また、携帯用バッテリーは、主として携帯電話、ノートパソコン、スマートフォンなどの携帯情報機器用のものであるが、これ以外にも、コードレスフォン、デジタルカメラ、ビデオカメラ、携帯ゲーム機、電気自動車、携帯ライト、ポータブルオーディオ機器その他の用途向けにも応用が可能である。
【考案の概要】
【考案が解決しようとする課題】
【０００４】
ところで、こうした携帯用バッテリーは、寿命があり劣化するほか、衝撃を与えたり、不正な使用方法により破損したり、もともとの不良品であったりという原因によって、バッテリー本体が膨張、発熱、破損、破裂、時には爆発や発火の危険がありうることが知られている。実際にこうした事故が起きることもあり、バッテリーに異変がないか、確認できることが重要である。バッテリーの故障や劣化は、膨張などの変形や亀裂、液漏れなど、外観から気づくことも多いためである。
【０００５】
しかしながら、リチウムイオン電池などの充電式バッテリーや、乾電池などの電池そのものは、外観上の異変を観察可能ではあるものの、携帯用バッテリーは、これら電池をケースに収容しているために、バッテリー本体の状態を外部から観察することができない。
【０００６】
上記の課題を解決するため、たとえば、特開２０００−１８２５７１「バッテリーケース」、特開２００７−９５４２９「バッテリーケース」においては、機械的強度に優れると共に適度の透明性を有し、メンテナンスがし易いバッテリーケースを提供するものである。
しかしながら、上記の各発明は自動車に搭載したバッテリーケースであり、しかもバッテリー単体で携帯して持ち運ぶためのものではなかった。
携帯用バッテリーにおいて、バッテリー本体を収容するバッテリーケースを透明にすることにより、バッテリー本体の状態を外部から観察できるものは従来はなかった。
【０００７】
そこで本考案においては、上記の様々な課題を解決し、バッテリー本体の状態を外部から確認可能な携帯用バッテリーを提供することを目的とする。
【課題を解決するための手段】
【０００８】
上記課題を解決するため、請求項１に記載の考案は、
バッテリー本体と、
バッテリー本体を外部から観察可能な透明バッテリーケースと、
外部電源からバッテリー本体への充電、及びバッテリー本体からこれに接続された携帯情報機器等への電源供給を行うインターフェース部とを備え、
バッテリー本体の状態を外部から確認可能な、携帯用バッテリーであることを特徴とする。
【０００９】
上記課題を解決するため、請求項２に記載の考案は、
透明バッテリーケースは、バッテリー本体の状態を外部から確認可能な透過部と、光の屈折・反射等による装飾効果を有する装飾部とを備えた、請求項1に記載の携帯用バッテリーであることを特徴とする。
【００１０】
上記課題を解決するため、請求項３に記載の考案は、
透明バッテリーケースは、熱可塑性樹脂からなる、請求項１または２のいずれかに記載の携帯用バッテリーであることを特徴とする。
【００１１】
上記課題を解決するため、請求項４に記載の考案は、
インターフェース部は、電源ケーブルを装着するインターフェースと、不使用時には前記インターフェースを覆い保護するキャップとを備えた、請求項１〜３のいずれかに記載の携帯用バッテリーであることを特徴とする。
【００１２】
上記課題を解決するため、請求項５に記載の考案は、
前記インターフェース部は瓶の蓋を模し、前記透明バッテリーケースは瓶本体を模して形成された、請求項１〜４のいずれかに記載の携帯用バッテリーであることを特徴とする。
【考案の効果】
【００１３】
これらにより、バッテリー本体の状態を外部から確認可能にし、バッテリーの異変などに気づきやすくするとともに、装飾性を備え、持ち運びが可能な携帯用バッテリーを提供することができる。
【図面の簡単な説明】
【００１４】
【図１】本考案の携帯用バッテリーの一例を示す斜視図である。
【図２】本考案の携帯用バッテリーの一例を示す斜視図である。
【図３】本考案の携帯用バッテリーの別の一例を示す斜視図である。
【図４】本考案の携帯用バッテリーの別の一例を示す斜視図である。
【図５】本考案の携帯用バッテリーのさらに別の一例を示す斜視図である。
【図６】本考案の携帯用バッテリーのさらに別の一例を示す斜視図である。
【図７】本考案の携帯用バッテリーの、インターフェースを覆い保護するキャップを備えた一例を示す斜視図である。
【図８】本考案の携帯用バッテリーの、インターフェースを覆い保護するキャップを備えた一例を示す斜視図である。
【考案を実施するための形態】
【００１５】
以下、図面を参照して、本考案の携帯用バッテリーについて説明する。
本考案の携帯用バッテリーは、コンセントがなくても電源を供給でき、持ち運びのできる、バッテリー本体の状態を外部から確認可能な、携帯用バッテリーである。
本考案の携帯用バッテリーは、主として携帯電話、ノートパソコン、スマートフォンなどの携帯情報機器用のものであるが、それらの用途には限定されない。これ以外にも、コードレスフォン、デジタルカメラ、ビデオカメラ、携帯ゲーム機、電気自動車、携帯ライト、ポータブルオーディオ機器その他の用途向けに利用可能な携帯用バッテリーを含む。
【００１６】
図１、図２は、本考案の携帯用バッテリーの一例を示す斜視図である。両者の違いは、直方体に近い形状か、円柱に近い形状かというデザイン上のものである。
また図３、図４は、本考案の携帯用バッテリーの別の一例を示す斜視図である。両者の違いは、直方体に近い形状か、円柱に近い形状かというデザイン上のものである。
【００１７】
初めに、本考案の携帯用バッテリーは、バッテリー本体１０を備えている。
バッテリー本体１０は、繰り返し充電して使える充電式の、リチウムイオン電池や、ニッカド電池、ニッケル水素電池、その他の各種充電池である。これ以外にも、入れ替えて使用するものとして、乾電池、ボタン型電池などであってもよい。
【００１８】
次に、本考案の携帯用バッテリーは、バッテリー本体１０を外部から観察可能な透明バッテリーケース２０を備えている。
透明バッテリーケース２０は、様々な形状やサイズ、材質のものを採用することができる。
好ましくは、透明、あるいは半透明の、アクリル樹脂、塩化ビニール樹脂、ＰＥＴ樹脂、ポリカーボネートなどの熱可塑性樹脂からなるものである。
また、これらの素材以外にも、ガラス、自然石などの透明素材のほか、部分的に不透明樹脂、金属などを採用してもよい。
【００１９】
次に、本考案の携帯用バッテリーは、好ましい形態の一例としては、単なる携帯用バッテリーとして使用できるだけでなく、持ち運び時や不使用時においても違和感のない、装飾性を有する。
図５は、本考案の携帯用バッテリーのさらに別の一例を示す斜視図である。
図６は、本考案の携帯用バッテリーのさらに別の一例を示す斜視図である。
これら一例では、透明バッテリーケース２０は、バッテリー本体の状態を外部から確認可能な透過部２１と、光の屈折・反射等による装飾効果を有する装飾部２２とを備えている。
図示しないが、透明バッテリーケース２０には、その素材である透明樹脂等の中に、装飾用の部材、たとえば宝石、ビー玉、花、気泡、液体、砂時計、その他のものが含まれていて、外部から見えるようにしてもよい。
また、図示しないが、透明バッテリーケース２０には、各種の装飾や、キーホルダー、ペンダント等として使用可能な金属部品等、あるいはストラップなどが付属していてもよい。
さらに、バッテリー残量メーター、時計、ライト、歩数計、アラーム音機能、録音機能、その他の機能が付属していてもよい。
【００２０】
次に、本考案の携帯用バッテリーは、外部電源からバッテリー本体１０への充電、及びバッテリー本体１０からこれに接続された携帯情報機器等への電源供給を行うインターフェース部３０を備えている。
ＭｉｃｒｏＵＳＢ端子、ＵＳＢ端子、その他、利用する各種スマートフォンや機器に応じた使用のインターフェースが１つ、あるいは複数設けられている。
【００２１】
次に、本考案の携帯用バッテリーは、好ましい形態の一例としては、前記インターフェース部３０は瓶の蓋を模し、前記透明バッテリーケース２０は瓶本体を模して形成されている。
瓶は、香水瓶、飲料用の瓶、その他各種のデザイン、形状のものを採用することができる。
図１、図２に示した一例では、インターフェース部３０は瓶の蓋を模し、透明バッテリーケース２０は瓶本体を模し、全体として瓶をデザインした形状にて形成され、瓶の蓋部分にインターフェース３１が設けられている。
図３、図４に示した一例では、インターフェース部３０は瓶の蓋を模し、透明バッテリーケース２０は瓶本体を模し、全体として瓶をデザインした形状にて形成され、瓶の蓋部分が着脱可能にされ、蓋を開けた部分にインターフェース３１が設けられている。
【００２２】
また、インターフェース部３０の別の形態の一例としては、電源ケーブルを装着するインターフェース３１と、不使用時には前記インターフェース３１を覆い保護するキャップ３２とを備えているものである。インターフェース３１は瓶本体の口に設けられ、瓶の蓋を模したカバーの着脱が可能にされている。
図７は、本考案の携帯用バッテリーの、インターフェース３１を覆い保護するキャップ３２を備えた一例を示す斜視図である。図７においては、キャップ３２を付けて、インターフェース３１を保護する不使用時の状態を示している。
図８は、本考案の携帯用バッテリーの、インターフェース３１を覆い保護するキャップ３２を備えた一例を示す斜視図である。図８においては、キャップ３２をはずして、インターフェース３１が露出する使用時の状態を示している。
【産業上の利用可能性】
【００２３】
以上詳細に説明したように、本考案によれば、バッテリー本体の状態を外部から確認可能な、透明の携帯用バッテリーを提供することができる。
【符号の説明】
【００２４】
１０  バッテリー本体
２０  透明バッテリーケース
２１  透過部
２２  装飾部
３０インターフェース部
３１  インターフェース
３２  キャップ
【図１】
0003207319.tif 000003
【図２】
0003207319.tif 000004
【図３】
0003207319.tif 000005
【図４】
0003207319.tif 000006
【図５】
0003207319.tif 000007
【図６】
0003207319.tif 000008
【図７】
0003207319.tif 000009
【図８】
0003207319.tif 000010